(57)【要約】【課題】臭気を発生させる微生物の動きを抑制するとともに、その育成を阻止し、足の臭気を永続して防除できるようにする。【解決手段】ソックス１の爪先部分および踵部分に、臭気防除用織布２を配置する。臭気防除用織布２を、微粒子磁性フェライトを担持させた磁気テープを糸状に加工して磁性糸２ａを製造し、この磁性糸２ａを用いて形成する。微粒子磁性フェライトと臭気を発生させる微生物とが相対移動して、微生物が磁力線を切ると、微生物に電流が流れてそのその動きが抑制されるとともに、育成が阻止される。【選択図】        図１
2004339632.tif 000002
【特許請求の範囲】
【請求項１】
微粒子磁性フェライトを担持させた磁気テープを糸状に加工して磁性糸を製造し、この磁性糸をソックスまたは靴の中敷のうちの少なくともいずれか一方に配置して靴内の臭気を防除することを特徴とする臭気防除方法。
【請求項２】
ソックスまたは靴の中敷のうちの少なくともいずれか一方に臭気防除用織布を配設し、この臭気防除用織布は、微粒子磁性フェライトを担持させた磁気テープを糸状に加工して磁性糸を製造し、この磁性糸を用いて形成されていることを特徴とする臭気防除装置。
【発明の詳細な説明】
【０００１】
【発明の属する技術分野】
本発明は、足から発生する臭気を防除する臭気防除方法およびその装置に係り、特に微粒子磁性フェライトを用いた臭気防除方法およびその装置に関する。
【０００２】
【従来の技術】
従来から、人間がソックスや靴の中敷等を利用しているが、臭気を発生する微生物に直面し、悩まされている。
【０００３】
従来から本発明が取り組んでいる微生物による臭気のうち、特にソックスや靴の中敷で存在している臭気を発生する微生物に対しては防除の方法がなく、一般に臭気のみを洗剤等による洗濯や乾燥等により臭気を防除しているのは周知の事実である。
【０００４】
このように洗剤や乾燥による臭気の防除には、時間や周囲に違和感を与えるなどの現状に鑑み、いわゆる臭気を防止するためのスプレー等が提案されている。
【０００５】
【発明が解決しようとする課題】
しかし上述したように、洗剤や乾燥などにより臭気を発生する微生物を防除するのは難しく、ただ臭気を減少させるのにとどまっている。
【０００６】
また臭気を減少させるほかの方法として、スプレー等が提案されているが、臭気解消の持続性などに問題があり、臭気防除にはあまり期待が持てないのが現状である。
【０００７】
本発明は、かかる現況に鑑みなされたもので、足から発生する靴内の臭気を、安全にかつ永続して防除することができる臭気防除方法およびその装置を提供することを目的とする。
【０００８】
【課題を解決するための手段】
前記目的を達成するため本発明は、微粒子磁性フェライトを担持させた磁気テープを糸状に加工して磁性糸を製造し、この磁性糸をソックスまたは靴の中敷のうちの少なくともいずれか一方に配置して靴内の臭気を防除するようにしたことを特徴とする。
【０００９】
本発明はまた、ソックスまたは靴の中敷のうちの少なくともいずれか一方に臭気防除用織布を配設し、この臭気防除用織布を微粒子磁性フェライトを担持させた磁気テープを糸状に加工して磁性糸を製造し、この磁性糸を用いて形成するようにしたことを特徴とする。
【００１０】
ところで、ソックスあるいは靴の中敷に、微粒子磁性フェライトを担持させた磁気テープを糸状に加工して形成される磁性糸、あるいはこの磁性糸を用いて編成される臭気防除用織布を配設置すると、これらが担持している微粒子磁性フェライトから磁力線が発生することになる。
【００１１】
この状態で、微粒子磁性フェライトと臭気を発生させる微生物とが相対移動すると、微生物が磁力線を切った際に、ファラデーの電磁誘導の法則により、微生物に電流が流れることになる。このため、微生物の動きが抑制されるとともに育成が阻止され、臭気を永続して防除することが可能となる。
【００１２】
【発明の実施の形態】
以下、本発明を図面を参照して説明する。
図１は、本発明の実施の一形態に係るソックスを示すもので、このソックス１の爪先部分および踵部分には、臭気防除用織布２が配設されている。
【００１３】
この臭気防除用織布２は、粒子が約２００ｎｍ〜３００ｎｍの微粒子磁性フェライトを担持させた磁気テープを糸状に加工して磁性糸２ａを製造するとともに、この磁性糸２ａを編成して形成されており、この臭気防除用織布２からは、６００ガウス程度の磁力線が発生して、微生物による臭気の発生を防除できるようになっている。
【００１４】
図２および図３は、本発明の実施の一形態に係る靴の中敷を示すもので、この中敷３は、クッション性を有する中敷本体４と、この中敷本体４の上面に配された臭気防除用織布５とで構成されており、臭気防除用織布５は、前記ソックス１の臭気防除用織布２と同様に形成され、微生物による臭気の発生を防除できるようになっている。そして、前記ソックス１と中敷３とを同時に用いることにより、両臭気防除用織布２、５の相乗効果により、微生物による臭気の発生を、より確実かつ長時間に亘って防除できるようになっている。
【００１５】
次に、本実施の形態の作用について、図４を参照して説明する。
微粒子磁性フェライト１１は、図４（ａ）に示すように、Ｎ極１２とＳ極１３とを有する永久磁石と考えられるので、Ｎ極１２からＳ極１３に向かって磁力線１４が発生することになる。
【００１６】
この状態で、例えば図１に示すソックス１を履いた足１５が動いて、微粒子磁性フェライト１１と臭気を発生させる微生物１６とが相対移動し、微生物１６が磁力線１４を切ると、図４（ｂ）に示すように、ファラデーの電磁誘導の法則により微生物１６に電流が流れ、この電流により、微生物１６の動きが抑制されるとともに育成が阻止される。このため、微生物１６による臭気の発生を防除することができる。
【００１７】
次に、微粒子磁性フェライトの磁化の強さについて説明する。
図５は微粒子磁性フェライトの磁化測定図を示すもので、磁化の強さは８．７５ｅｍｕ／ｇとなっている。すなわち、図５において、グラフの横軸０値との交点の値が約４．０でグラフの最大値が約７．５であるのでその差が３．５、縦軸の１目盛の値が２．５ｅｍｕであるので、３．５×２．５＝８．７５ｅｍｕ／ｇとなっている。これをガウスに換算すると、１ｅｍｕ／ｇは４π×比重＝６９より、約６０４ガウスに相当することになる。したがって、微粒子磁性フェライトを所定量担持させると、磁場が形成されて磁力線を発生させることになる。
【００１８】
そして、足の上下、左右の運動時に、微粒子磁性フェライトと微生物とが相対移動して微生物が磁力線を切ると、微生物に電流が流れて微生物の動きが抑制されるとともに育成が阻止され、靴内の臭気が防除されることになる。
【００１９】
【実施例】
本発明者等は、図６に示すように、微粒子磁性フェライトを担持させた織布を用いてエアフィルターを製造し、このエアフィルターを組込んだ装置を用いて、室内の一般浮遊細菌の除去率についての実験を行った。そして表１に示す結果を得た。
【００２０】
【表１】
2004339632.tif 000003
【００２１】
表１は、エアフィルターの通過面積が０．０１４ｍ２と０．０１０ｍ２、面速が０．６５ｍ／秒と０．８０ｍ／秒の循環送風でｏｎｅ  ｐａｓｓした際の除去率を示している。なお、空中浮遊細菌は、遠心型エアサンプラーによって培地に採集し、３５℃で２４時間培養してコロニーをカウントした。
【００２２】
表１からも明らかなように、室内の一般浮遊細菌のｏｎｅ  ｐａｓｓでの除去率は、面速が０．６５ｍ／秒で７．１％、０．８０ｍ／秒で４．４％となっていることが解る。このため、例えば面速が０．８０ｍ／秒の場合には、約１５回循環させると、一般浮遊細菌はほぼ零になることになる。
【００２３】
本発明者等はまた、前記実験終了後、エアフィルターを精製水に浸漬し、浸漬液の培地テストを行った。その結果、エアフィルターからは菌は検出されず、微粒子磁性フェライトの菌に対する生存阻止率が高いことが判った。
【００２４】
【発明の効果】
以上説明したように本発明は、微粒子磁性フェライトを担持させた磁気テープを糸状に加工して形成される磁性糸、あるいはこの磁性糸を用いて形成される臭気防除用織布を、ソックスまたは靴の中敷のうちの少なくともいずれか一方に配置して靴内の臭気を防除するようにしているので、微粒子磁性フェライトと臭気を発生させる微生物との相対移動により微生物に電流が流れ、靴内の臭気を確実かつ永続的に防除することができる。
【００２５】
また、フェライトは、化学的に安定で、使用しても周囲への汚染の原因とならないので、公害や環境への問題が生じるおそれもない。
【図面の簡単な説明】
【図１】本発明の実施の一形態に係る臭気防除装置を示すソックスの説明図である。
【図２】図１と同様の靴の中敷の説明図である。
【図３】図２の平面図である。
【図４】（ａ）は微生物に電流が流れる原理を示す説明図、（ｂ）はその原理の基礎となるファラデーの電磁誘導の法則を示す説明図である。
【図５】微粒子磁性フェライトの磁化測定図である。
【図６】本発明者等が行った実験に用いた装置を示す説明図である。
【符号の説明】
１        ソックス
２、５    臭気防除用織布
２ａ      磁性糸
３        中敷
４        中敷本体
【図１】
2004339632.tif 000004
【図２】
2004339632.tif 000005
【図３】
2004339632.tif 000006
【図４】
2004339632.tif 000007
【図５】
2004339632.tif 000008
【図６】
2004339632.tif 000009